(57)【要約】【課題】物品の使用期限を管理することができ、使用期限切れの物品が取り出されることがないキャビネットを提供する。【解決手段】キャビネット１Ａは、容器に取り付けたＩＣタグから発信された物品の使用期限情報を受信するアンテナと、アンテナが受信した使用期限情報を読み取るＩＣタグリーダと、ＩＣタグリーダが読み取った使用期限情報に基づいて物品の使用期限を管理するコントローラと、キャビネット１Ａの扉９を施錠可能な電気錠１７とを有する。キャビネット１Ａでは、コントローラが使用期限情報に基づいてキャビネット１Ａ内に期限切れの物品が存在すると判断したときに電気錠１７に施錠信号を出力し、電気錠１７が施錠信号にしたがって扉９を施錠する。【選択図】図１
2005306574.tif 000002
【特許請求の範囲】
【請求項１】
施解錠可能な扉を有して所定の使用期限がある物品の複数個を保管するキャビネットにおいて、
前記物品が、該物品の前記使用期限を記憶した非接触型ＩＣタグを備え、前記キャビネットが、前記ＩＣタグから発信された使用期限情報を受信するアンテナと、前記アンテナが受信した前記使用期限情報を読み取るＩＣタグリーダと、前記ＩＣタグリーダが読み取った前記使用期限情報に基づいて前記物品の使用期限を管理するコントローラと、前記扉を施錠可能な電気錠とを有し、
前記コントローラが、前記使用期限情報に基づいて前記キャビネット内に期限切れの物品が存在すると判断したときに前記電気錠に施錠信号を出力し、前記電気錠が、前記施錠信号にしたがって前記扉を施錠することを特徴とする前記キャビネット。
【請求項２】
前記キャビネットが、該キャビネット内の物品の期限切れを外部に知らせる音発生装置を有し、前記コントローラが、前記使用期限情報に基づいて前記キャビネット内に期限切れの物品が存在すると判断したときに前記音発生装置に発音信号を出力し、前記音発生装置が、前記発音信号にしたがって発音する請求項１記載のキャビネット。
【請求項３】
前記キャビネットが、該キャビネット内の物品の期限切れを外部に知らせる光発生装置を有し、前記コントローラが、前記使用期限情報に基づいて前記キャビネット内に期限切れの物品が存在すると判断したときに前記光発生装置に点灯信号を出力し、前記光発生装置が、前記点灯信号にしたがって発光する請求項１または請求項２に記載のキャビネット。
【請求項４】
前記キャビネットが、該キャビネット内の物品の期限異常情報を外部受信機に送信する送信機を有し、前記コントローラが、前記使用期限情報に基づいて前記キャビネット内に期限切れの物品が存在すると判断したときに前記送信機に前記期限異常情報の送信信号を出力し、前記送信機が、前記送信信号にしたがって前記期限異常情報を前記外部受信機に送信する請求項１ないし請求項３いずれかに記載のキャビネット。
【請求項５】
前記アンテナが、前記キャビネットへの物品の収納時に前記ＩＣタグから前記使用期限情報を受信し、前記コントローラが、前記物品の収納時に前記アンテナを介して前記ＩＣタグリーダが読み取った前記使用期限情報に基づいて前記キャビネットに先に収納された物品の使用期限情報と該キャビネットに後に収納された物品の使用期限情報とを比較し、前記キャビネットに先に収納された物品よりも該キャビネットに後に収納された物品の使用期限が先に到来すると判断したときに、前記発声信号と前記点灯信号と前記送信信号とのうちの少なくとも１つを出力する請求項４記載のキャビネット。
【請求項６】
前記物品が、前記ＩＣタグを取り付けた容器に収容され、前記キャビネットが、その内部に前記容器の複数個を該キャビネットの上方から下方へ向かって順に並べる少なくとも１つの貯蔵部を有し、前記貯蔵部が、前記容器の１つを順に投入する上部投入口と、前記容器の１つを順に取り出す下部取出口と、前記投入口および前記取出口の間に形成された貯蔵通路とを有し、前記アンテナが、前記貯蔵部の取出口に設置され、
前記取出口のアンテナが、該取出口に位置する前記容器に取り付けられたＩＣタグから前記使用期限情報を受信し、前記コントローラが、前記取出口のアンテナを介して前記ＩＣタグリーダが読み取った前記使用期限情報に基づいて該取出口に位置する容器内の物品の使用期限が切れていると判断したときに、前記施錠信号と前記発音信号と前記点灯信号と前記送信信号とのうちの少なくとも該施錠信号を出力する請求項４記載のキャビネット。
【請求項７】
前記アンテナが、前記貯蔵部の投入口に設置され、前記投入口のアンテナが、前記貯蔵部への前記容器の投入時に該容器に取り付けられた前記ＩＣタグから前記使用期限情報を受信し、前記コントローラが、前記投入口のアンテナを介して前記ＩＣタグリーダが読み取った前記使用期限情報に基づいて前記貯蔵部に先に投入された容器内の物品の使用期限情報と該貯蔵部に後に投入された容器内の物品の使用期限情報とを比較し、前記貯蔵部に先に投入された容器内の物品よりも該貯蔵部に後に投入された容器内の物品の使用期限が先に到来すると判断したときに、前記発声信号と前記点灯信号と前記送信信号とのうちの少なくとも１つを出力する請求項６記載のキャビネット。
【請求項８】
前記キャビネットが、前記物品の使用期限を前記ＩＣタグに書き込み可能かつ書き換え可能なＩＣタグライタと、前記物品の使用期限を前記ＩＣタグに送信するアンテナとを有する請求項１ないし請求項７いずれかに記載のキャビネット。
【発明の詳細な説明】
【技術分野】
【０００１】
本発明は、所定の使用期限がある物品の複数個を保管するキャビネットに関する。
【背景技術】
【０００２】
非接触型ＩＣタグを利用して倉庫内に保管された物品の在庫を管理する管理システムがある（特許文献１参照）。この管理システムは、物品を特定する識別情報を記憶可能な物品添付用ＩＣタグと、扉の開閉情報を検知可能な扉開閉検知用ＩＣタグと、倉庫内に設置されてそれらＩＣタグから発信される識別情報と開閉情報とを受信するアンテナと、アンテナに接続されたコンピュータ装置とから形成されている。物品添付用ＩＣタグは、物品に取り付けられている。扉開閉検知用ＩＣタグは、倉庫の扉の外側に取り付けられている。
【０００３】
この管理システムでは、倉庫に物品を搬入したり倉庫から物品を搬出するために倉庫の扉を開けると、コンピュータ装置と扉開閉検知用ＩＣタグとがアンテナを介して送受信可能となり、扉開閉検知用ＩＣタグから開扉情報がアンテナを介してコンピュータ装置に入力される。物品の搬入や搬出が終了して倉庫の扉を閉めると、コンピュータ装置と扉開閉検知用ＩＣタグとの送受信が途絶え、コンピュータ装置が扉の閉状態を認識するとともに、倉庫内の物品に取り付けられた物品添付用ＩＣタグから物品の識別情報がアンテナを介してコンピュータ装置に入力される。コンピュータ装置は、倉庫の扉が開いているときに物品添付用ＩＣタグから識別情報を読み取ることがなく、扉が閉められた後に倉庫内にある物品の物品添付用ＩＣタグから識別情報を読み取って物品を特定し、倉庫内に搬入された物品と倉庫から搬出された物品とを区分して在庫状況を把握する。
【特許文献１】特開２００２−１９３４４８号公報
【発明の開示】
【発明が解決しようとする課題】
【０００４】
前記公報に開示の管理システムでは、物品を自由に搬出、搬入することができるので、物品が使用期限切れであっても、期限切れの物品を倉庫内に搬入したり、期限切れの物品を倉庫外に搬出してしまう場合がある。このシステムでは、コンピュータ装置を介して倉庫内の在庫状況を把握することはできるが、使用期限切れの物品の倉庫からの搬出を防ぐことはできず、期限切れの物品が不用意に使用されてしまう場合がある。
【０００５】
本発明の目的は、物品の使用期限を管理することができ、使用期限切れの物品が取り出されることはなく、期限切れの物品の使用を防ぐことができるキャビネットを提供することにある。
【課題を解決するための手段】
【０００６】
前記課題を解決するための本発明の前提は、施解錠可能な扉を有して所定の使用期限がある物品の複数個を保管するキャビネットである。
【０００７】
前記前提における本発明の特徴は、物品が、該物品の使用期限を記憶した非接触型ＩＣタグを備え、キャビネットが、ＩＣタグから発信された使用期限情報を受信するアンテナと、アンテナが受信した物品の使用期限情報を読み取るＩＣタグリーダと、ＩＣタグリーダが読み取った使用期限情報に基づいて物品の使用期限を管理するコントローラと、扉を施錠可能な電気錠とを有し、コントローラが、使用期限情報に基づいてキャビネット内に期限切れの物品が存在すると判断したときに電気錠に施錠信号を出力し、電気錠が、施錠信号にしたがって扉を施錠することにある。
【０００８】
本発明は、以下の実施態様を有する。
（１）本発明の実施態様の一例としては、キャビネットが該キャビネット内の物品の期限切れを外部に知らせる音発生装置を有し、コントローラが使用期限情報に基づいてキャビネット内に期限切れの物品が存在すると判断したときに音発生装置に発音信号を出力し、音発生装置が発音信号にしたがって発音する。
（２）本発明の実施態様の他の一例としては、キャビネットが該キャビネット内の物品の期限切れを外部に知らせる光発生装置を有し、コントローラが使用期限情報に基づいてキャビネット内に期限切れの物品が存在すると判断したときに光発生装置に点灯信号を出力し、光発生装置が点灯信号にしたがって発光する。
（３）本発明の実施態様の他の一例としては、キャビネットが該キャビネット内の物品の期限異常情報を外部受信機に送信する送信機を有し、コントローラが使用期限情報に基づいてキャビネット内に期限切れの物品が存在すると判断したときに送信機に期限異常情報の送信信号を出力し、送信機が送信信号にしたがって期限異常情報を外部受信機に送信する。
（４）本発明の実施態様の他の一例としては、アンテナがキャビネットへの物品の収納時にＩＣタグから使用期限情報を受信し、コントローラが、物品の収納時にアンテナを介してＩＣタグリーダが読み取った使用期限情報に基づいてキャビネットに先に収納された物品の使用期限情報とキャビネットに後に収納された物品の使用期限情報とを比較し、キャビネットに先に収納された物品よりもキャビネットに後に収納された物品の使用期限が先に到来すると判断したときに、発声信号と点灯信号と送信信号とのうちの少なくとも１つを出力する。
（５）本発明の実施態様の他の一例としては、物品がＩＣタグを取り付けた容器に収容され、キャビネットがその内部に容器の複数個を該キャビネットの上方から下方へ向かって順に並べる少なくとも１つの貯蔵部を有し、貯蔵部が、容器の１つを順に投入する上部投入口と、容器の１つを順に取り出す下部取出口と、投入口および取出口の間に形成された貯蔵通路とを有し、アンテナが貯蔵部の取出口に設置され、取出口のアンテナが該取出口に位置する容器に取り付けられたＩＣタグから使用期限情報を受信し、コントローラが、取出口のアンテナを介してＩＣタグリーダが読み取った使用期限情報に基づいて該取出口に位置する容器内の物品の使用期限が切れていると判断したときに、施錠信号と発音信号と点灯信号と送信信号とのうちの少なくとも該施錠信号を出力する。
（６）本発明の実施態様の他の一例としては、アンテナが貯蔵部の投入口に設置され、投入口のアンテナが貯蔵部への容器の投入時に容器に取り付けられたＩＣタグから使用期限情報を受信し、コントローラが、投入口のアンテナを介してＩＣタグリーダが読み取った使用期限情報に基づいて貯蔵部に先に投入された容器内の物品の使用期限情報と貯蔵部に後に投入された容器内の物品の使用期限情報とを比較し、貯蔵部に先に投入された容器内の物品よりも貯蔵部に後に投入された容器内の物品の使用期限が先に到来すると判断したときに、発声信号と点灯信号と送信信号とのうちの少なくとも１つを出力する。
（７）本発明の実施態様の他の一例としては、キャビネットが、物品の使用期限をＩＣタグに書き込み可能かつ書き換え可能なＩＣタグライタと、物品の使用期限をＩＣタグに送信するアンテナとを有する。
【発明の効果】
【０００９】
本発明に係るキャビネットによれば、コントローラが非接触型ＩＣタグからの物品の使用期限情報に基づいてキャビネット内に使用期限切れの物品が存在すると判断すると、コントローラが扉を施錠する施錠信号を電気錠に出力し、電気錠が施錠信号にしたがって扉を施錠するので、キャビネットから期限切れの物品が取り出される前に電気錠を介して扉を施錠することができる。このキャビネットは、その内部に保管された物品の使用期限を管理することができ、使用期限切れの物品が取り出されることはなく、期限切れの物品の使用を事前に防ぐことができる。
【００１０】
使用期限切れの物品の存在を外部に知らせる音発生装置を有するキャビネットは、コントローラがＩＣタグからの物品の使用期限情報に基づいてキャビネット内に使用期限切れの物品が存在すると判断すると、コントローラが発音信号を音発生装置に出力し、音発生装置が発音信号にしたがって発音するので、キャビネット内に使用期限切れの物品があることをキャビネットの外部に知らせることができ、期限切れの物品の使用を確実に防ぐことができる。
【００１１】
使用期限切れの物品の存在を外部に知らせる光発生装置を有するキャビネットは、コントローラがＩＣタグからの物品の使用期限情報に基づいてキャビネット内に使用期限切れの物品が存在すると判断すると、コントローラが点灯信号を光発生装置に出力し、光発生装置が点灯信号にしたがって発光するので、キャビネット内に使用期限切れの物品があることをキャビネットの外部に知らせることができ、期限切れの物品の使用を確実に防ぐことができる。
【００１２】
物品の期限異常情報を外部受信機に送信する送信機を有するキャビネットは、コントローラがＩＣタグからの物品の使用期限情報に基づいてキャビネット内に使用期限切れの物品が存在すると判断すると、コントローラが期限異常情報の送信信号を送信機に出力し、送信機が送信信号にしたがって期限異常情報を外部受信機に送信するので、キャビネット内に使用期限切れの物品があることを物品の管理責任者に知らせることができ、管理責任者がキャビネットからの期限切れの物品の取り出しを事前に阻止することができる。
【００１３】
コントローラがキャビネットに先に収納された物品の使用期限とキャビネットに後に収納された物品の使用期限とを比較するキャビネットは、コントローラがアンテナを介してＩＣタグリーダが読み取った物品の使用期限情報に基づき、キャビネットに先に収納された物品よりもキャビネットに後に収納された物品の使用期限が先に到来すると判断すると、コントローラが発声信号と点灯信号と送信信号とのうちの少なくとも１つを出力するので、キャビネットにあらたに収納する物品の使用期限よりも後に使用期限が到来する物品が既にキャビネット内に存在することをキャビネットの外部や物品の管理責任者に知らせることができる。
【００１４】
内部に物品を収容した複数個の容器を上方から下方へ向かって順に並べる貯蔵部を有し、アンテナが貯蔵部の取出口に設置されたキャビネットは、コントローラが取出口のアンテナを介してＩＣタグリーダが読み取った物品の使用期限情報に基づき、取出口に位置する容器に収容された物品の使用期限が切れていると判断すると、コントローラが施錠信号と発音信号と点灯信号と送信信号とのうちの少なくとも施錠信号を出力するので、使用期限切れの物品を収容した容器が取出口から取り出させることはなく、容器に収容された物品の使用期限を確実に管理することができる。このキャビネットは、コントローラが施錠信号の他に、発音信号や点灯信号、送信信号を出力することで、取出口に位置する容器に収容された物品の使用期限が切れていることをキャビネットの外部や物品の管理責任者に知らせることができる。
【００１５】
内部に物品を収容した複数個の容器を上方から下方へ向かって順に並べる貯蔵部を有し、アンテナが貯蔵部の投入口に設置されたキャビネットは、コントローラが投入口のアンテナを介してＩＣタグリーダが読み取った物品の使用期限情報に基づき、貯蔵部に先に投入された容器に収容された物品よりも貯蔵部に後に投入された容器に収容された物品の使用期限が先に到来すると判断すると、コントローラが発声信号と点灯信号と送信信号とのうちの少なくとも１つを出力するので、物品の使用期限が先に到来する容器を物品の使用期限が後に到来する容器の後に貯蔵部に投入したことをキャビネットの外部や物品の管理責任者に知らせることができる。このキャビネットは、貯蔵部に物品の使用期限の順に容器を並べることができ、物品の使用期限が先に到来する容器が使用期限が後に到来する容器よりも先に取り出されてしまうことがない。
【００１６】
物品の使用期限をＩＣタグに書き込み可能かつ書き換え可能なＩＣタグライタと物品の使用期限をＩＣタグに送信するアンテナとを有するキャビネットは、物品の期限管理とともに、ＩＣタグに物品の使用期限を書き込むことやＩＣタグに書き込まれた物品の使用期限を書き換えることができる。
【発明を実施するための最良の形態】
【００１７】
添付の図面を参照し、本発明に係るキャビネットの詳細を説明すると、以下のとおりである。
【００１８】
図１，２は、一例として示すキャビネット１Ａの斜視図と、貯蔵部１３に投入される容器３３の一例を示す斜視図とである。図１では、縦方向を矢印Ｌ、横方向を矢印Ｍで示し、前後方向を矢印Ｎで示す。図１は、扉９を開けた状態が二点鎖線で示されている。キャビネット１Ａは、縦方向へ長い直方体を呈し、収納ユニット２と、収納ユニット２の下方に位置してユニット２に連なる機材格納ユニット３とから形成されている。このキャビネット１Ａは、所定の使用期限がある物品（図示せず）を収容した容器３３の複数個を保管し、容器３３に収容された物品の使用期限を管理する。
【００１９】
収納ユニット２は、縦方向へ離間対向する頂底壁４，５および横方向へ離間対向する両側壁６，７と、後壁８および後壁８の前方に位置する施解錠可能な扉９とから形成されている。それら壁４，５，６，７，８は、電波遮断性の金属または合成樹脂から作られている。頂壁４には、音発生装置１０と光発生装置１１とアンテナ１２とが設置されている。収納ユニット２の内部には、容器３３の複数個をキャビネット１Ａの上方から下方へ向かって順に並べる３つの貯蔵部１３が設置されている。貯蔵部１３の個数は、キャビネット１Ａや容器３３の大きさに応じて適宜変更することができる。
【００２０】
扉９は、電波遮断性の金属または合成樹脂から作られた枠１４と、枠１４に嵌め込まれた透明な窓１５とから形成されている。窓１５は、電波遮断性のガラスまたは透明な合成樹脂から作られている。扉９は、その側縁部９ａが蝶番（図示せず）を介して側壁７に取り付けられている。扉９の側縁部９ｂには、マグネット１６が取り付けられている。側壁６の側縁部には、扉９を施錠可能な電気錠１７とマグネット１８とが取り付けられている。扉９を閉めると、マグネット１６とマグネット１８とが当接し、互いの磁力によってそれらマグネット１６，１８どうしの当接状態が保持されるとともに、扉９を閉じた状態が維持される。それらマグネット１６，１８の磁力に抗して扉９をキャビネット１Ａの前方へ旋回させると、扉９を開けることができる。
【００２１】
機材格納ユニット３は、底壁１９およびユニット２の両側壁６，７に連なる両側壁２０，２１と、ユニット２の後壁８に連なる後壁２２と、扉９の下方に位置する前壁２３とから形成されている。それら壁１９，２０，２１，２２，２３は、電波遮断性の金属または合成樹脂から作られている。前壁２３には、物品の使用期限を打ち込むテンキーパネル２４と、アンテナ２５とが取り付けられている。アンテナ２５は、プリント基板２６に取り付けられ、基盤２６を介して前壁２３に固定されている。機材格納ユニット３には、それら壁１９，２０，２１，２２，２３に囲繞された機材格納部（図示せず）が形成されている。格納部には、キャビネット１Ａに保管された物品の使用期限を管理するコントローラ２７、物品の使用期限情報をＩＣタグから読み込んだりＩＣタグに書き込むＩＣタグリーダ／ライタ２８、テンキーパネル２４を介して打ち込まれた物品の使用期限をコントローラ２７に入力するテンキーモジュール２９、電気錠１７の施解錠をコントロールする電気錠制御器３０、期限異常情報を外部受信機３２に送信する送信機３１が格納されている（図６参照）。
【００２２】
容器３３は、円筒状を呈し、その外周面にＩＣタグ３４が取り付けられている。容器３３の内部には、所定の使用期限を有する物品が収容されている。容器３３では、頂底壁のいずれか一方を開けることで、内部に収容された物品を容器３３から出すことができる。容器３３は、金属または合成樹脂から作られている。容器３３に収容される物品は、使用期限があるそれであれば特に限定はなく、液体、固体、粘性流体、粒状物、紛状物のいずれであってもよい。
【００２３】
図３，４は、側壁４０を破断した状態で示す貯蔵部１３の斜視図と、投入口３５の斜視図とであり、図５は、取出口３６の斜視図である。図３では、貯蔵部１３に投入された容器３３の投入口３５から取出口３６への移動を矢印で示す。貯蔵部１３は、縦方向へ長い直方体を呈する。貯蔵部１３は、ユニット２の上方に位置して容器３３の１つを順に投入する上部投入口３５と、ユニット２の下方に位置して容器３３の１つを順に取り出す下部取出口３６と、投入口３５および取出口３６の間に形成された貯蔵通路３７とを有する。貯蔵部１３は、頂底壁３８，３９および両側壁４０，４１と、前後壁４２，４３およびそれら壁３８，３９，４０，４１，４２，４３に囲繞されたスペース４４に位置する多数の平板４５とから形成されている。それら壁３８，３９，４０，４１，４２，４３と平板４５とは、電波遮断性の金属または合成樹脂から作られている。
【００２４】
平板４５は、スペース４４の上方から下方へ向かって並び、投入口３５から取出口３６に向かって互い違いに傾斜している。投入口３５には、プリント基板４６に取り付けられたアンテナ４７が配置されている。取出口３６には、プリント基板４８に取り付けられたアンテナ４９が配置されている。それらプリント基板４６，４８は、平板４５に形成された貫通孔５０の周縁部に固定されている。それらアンテナ４７，４９は、貫通孔５０から貯蔵通路３７に露出している。投入口３５に容器３３を投入すると、容器３３が貯蔵通路３７に進入し、平板４５上を転がって取出口３６に向かって移動する。容器３３を貯蔵部１３に順に投入すると、容器３３の複数個が通路３７に順に並ぶ。取出口３６には、停止板５１が取り付けられている。容器３３が停止板５１に当接すると、容器３３の移動が停止する。
【００２５】
図６は、コントローラ２７に対する電気錠１７やＩＣタグリーダ／ライタ２８、送信機３１等の接続を示すブロック図である。電気錠１７は、通電金具（図示せず）を介して電気錠制御器３０に電気的に接続されている。電気錠制御器３０は、コントローラ２７に電気的に接続されている。電気錠１７には、作動電流が瞬時に流れると施錠する瞬時施錠型、電流の通電中継続して施錠状態を維持し、通電が切れると施錠する通電時施錠型のいずれかを使用することができる。施錠状態にある電気錠１７は、鍵（図示せず）を介して解錠することができる。また、テンキーパネル２４から所定の暗証番号を打ち込むことで解錠することもできる。
【００２６】
音発生装置１０や光発生装置１１、ＩＣタグリーダ／ライタ２８、テンキーモジュール２９、送信機３１は、コントローラ２７に電気的に接続されている。なお、図６では、便宜上ＩＣタグリーダ／ライタ２８を１つだけ図示しているが、実際には、前壁２３に取り付けられたアンテナ２５に接続されたＩＣタグリーダ／ライタと、投入口３５に取り付けられたアンテナ４７に接続されたＩＣタグリーダ／ライタと、取出口３６に取り付けられたアンテナ４９に接続されたＩＣタグリーダ／ライタとが機材格納部に格納され、それらＩＣタグリーダ／ライタがコントローラ２７に接続されている。
【００２７】
音発生装置１０と光発生装置１１とには、スイッチ回路（図示せず）が内蔵されている。音発生装置１０には、ブザーやサイレン等を使用することができる。光発生装置１１には、赤色灯や点滅ライト等を使用することができる。送信機３１には、無線機が使用されている。送信機３１には、ユニット２の頂壁４に設置されたアンテナ２５が電気的に接続されている。外部受信機３２には、携帯電話や携帯用無線通話機、送信機３１に無線ＬＡＮで接続されたコンピュータ端末を使用することができる。なお、送信機３１は、線路を介して外部受信機３２に接続されていてもよい。テンキーパネル２４は、テンキーモジュール２９に接続されている。
【００２８】
ＩＣタグリーダ／ライタ２８は、コントロール回路とデコード回路と無線回路とから形成されている（図示せず）。ＩＣタグリーダ／ライタ２８は、ＩＣタグ３４と送受信可能になると、アンテナ４７，４９が受信した物品の使用期限を示す電波信号を復調して電気信号に変換し、電気信号をコントローラ２７に入力する。テンキーパネル２４に打ち込まれた物品の使用期限は、テンキーモジュール２９を介して電気信号に変換され、テンキーモジュール２９からコントローラ２７に入力された後、コントローラ２７からＩＣタグリーダ／ライタ２８に出力される。ＩＣタグリーダ／ライタ２８は、コントローラから出力された使用期限を示す電気信号を電波信号に変換しつつ電波信号を変調し、アンテナ２５を介して電波信号をキャビネット１Ａの外部に発信する。
【００２９】
ＩＣタグ３４は、制御部とアンテナとから形成されている（図示せず）。制御部は、コントロール回路とデコード回路と無線回路とメモリとから形成されている。ＩＣタグ３４の制御部は、ＩＣタグリーダ／ライタ２８とＩＣタグ３４とが送受信可能になると、メモリに格納されているプログラムを起動し、プログラムにしたがって以下のプロセスを実行する。ＩＣタグ３４の制御部は、ＩＣタグ３４のアンテナが受信した物品の使用期限情報を示す電波信号を復調しつつ電波信号をメモリが記憶可能な言語に変換し、使用期限情報をメモリの物理アドレス領域に格納する。制御部は、メモリに格納された使用期限情報を電波信号に変換しつつ電波信号を変調し、アンテナを介して電波信号を容器の外部に発信する。ここで、ＩＣタグリーダ／ライタ２８から出力される電波信号やＩＣタグ３４から発信される電波信号には、物品の使用期限を示す年月日の他に、物品の使用期限をテンキーパネル２４を介して打ち込んだ時刻（時分秒）が含まれる。
【００３０】
ＩＣタグ３４には、リードオンリー型やリードライト型を使用することができる。ＩＣタグ３４には、アンテナ２５，４７，４９との交信距離が数ミリメートル〜数メートルの近傍型を使用することが好ましい。アンテナ２５，４７，４９とＩＣタグ３４との間の伝送媒体方式は、交流磁界によるコイルの相互インダクタンスを利用してＩＣタグ３４を作動させる電磁結合型、ＩＣタグ３４のコイル状アンテナに生じる誘導起電力を利用してＩＣタグ３４を作動させる電磁誘導型、ＩＣタグリーダ／ライタ２８のアンテナ２５，４７，４９から発信されたマイクロ波によってＩＣタグ３４を作動させるマイクロ波型のいずれであってもよい。
【００３１】
コントローラ２７は、制御部とメモリとタイマとを有するマイクロプロセッサ（図示せず）から形成されている。コントローラ２７の制御部は、メモリに格納されているプログラムを起動し、プログラムにしたがって以下のプロセスを実行する。制御部は、ＩＣタグリーダ／ライタ２８を介して容器３３に取り付けられたＩＣタグ３４から物品の使用期限情報を読み取り、使用期限情報をメモリが記憶可能な言語に変換し、使用期限情報をＩＣタグ３４毎に区分してメモリの物理アドレス領域に格納する。具体的には、制御部がＩＣタグ３４を個別に識別するための識別番号を生成し、使用期限情報に識別番号を付けてメモリに格納する。制御部は、コントローラ２７に内蔵されたタイマの年月日とメモリに格納された使用期限とを常時比較し、使用期限がタイマの年月日を過ぎた場合、施錠信号を電気錠制御器３０に出力し、発音信号を音発生装置１０に出力するとともに、点灯信号を光発生装置１１に出力し、送信信号を送信装置３１に出力する。
【００３２】
コントローラ２７の制御部は、貯蔵部１３に投入される物品の使用期限情報をＩＣタグリーダ／ライタ２８を介して容器３３に取り付けられたＩＣタグ３４から読み取り、貯蔵部１３に先に投入された容器３３内の物品の使用期限と貯蔵部１３に後に投入された容器３３内の物品の使用期限とを比較する。貯蔵部１３に先に投入された容器３３内の物品の使用期限情報は、ＩＣタグリーダ／ライタ２８を介して制御部に入力され、あらかじめメモリに格納されている。制御部は、貯蔵部１３に後に投入された容器３３内の物品の使用期限が貯蔵部１３に先に投入された容器３３内の物品の使用期限よりも先に到来すると判断した場合、発音信号を音発生装置１０に出力し、点灯信号を光発生装置１１に出力するとともに、送信信号を送信装置３１に出力する。
【００３３】
なお、物品の使用期限がタイマの年月日を過ぎていない場合や貯蔵部１３に後に投入された容器３３内の物品の使用期限が貯蔵部１３に先に投入された容器３３内の物品の使用期限よりも後に到来すると判断した場合、コントローラ２７の制御部は、施錠信号や発音信号、点灯信号、送信信号を出力することはない。また、制御部は、ＩＣタグリーダ／ライタ２８とＩＣタグ３４とが送受信可能となったとき、ＩＣタグ３４が正当なそれかをＩＣタグ３４のＩＤ番号によって判断する。ＩＣタグ３４のＩＤ番号は、コントローラ２７のメモリにあらかじめ格納されている。コントローラ２７の制御部は、メモリに格納されたＩＤ番号と送受信中のＩＣタグ３４のＩＤ番号とを比較し、ＩＣタグ３４が正当なそれではないと判断すると、ＩＣタグ３４からの使用期限情報の読み取りを停止するとともに、ＩＣタグ３４への使用期限情報の出力を停止する。
【００３４】
コントローラ２７の制御部は、扉９を開けた場合、ＩＣタグリーダ／ライタ２８からアンテナ２５に出力される電波信号を遮断し、ＩＣタグリーダ／ライタ２８とＩＣタグ３４とを送受信不能にすることもできる。この場合、制御部は、扉９を閉じたときにＩＣタグリーダ／ライタ２８からアンテナ２５に電波信号を出力させる。したがって、扉９を開けた状態ではＩＣタグ３４へ使用期限を記憶させることができず、扉９を閉じた状態でＩＣタグ３４へ使用期限を記憶させることが可能となる。
【００３５】
貯蔵部１３に容器３３を投入する手順の一例を以下に示す。最初にＩＣタグ３４に物品の使用期限を記憶させる。テンキーパネル２４を介して容器３３に収容された物品の使用期限を打ち込む。使用期限を打ち込むと、テンキーモジュール２９を介して使用期限を示す電気信号がコントローラ２７に入力され、電気信号がコントローラ２７からＩＣタグリーダ／ライタ２８に出力され、ＩＣタグリーダ／ライタ２８が所定の変調方式に基づいて使用期限を示す電気信号を電波信号に変換する。電波信号は、アンテナ２５から発信される。アンテナ２５に容器３３を近接させると、ＩＣタグリーダ／ライタ２８とＩＣタグ３４とが送受信可能になり、ＩＣタグ３４のアンテナがＩＣタグリーダ／ライタ２８からの電波信号を受信し、電波信号がＩＣタグ３４の制御部に入力される。ＩＣタグ３４の制御部では、使用期限を示す電波信号をメモリが記憶可能な所定の言語に変換し、使用期限情報をＩＣタグ３４のメモリに格納する。なお、扉９を開けると、ＩＣタグリーダ／ライタ２８とＩＣタグ３４とが送受信不能になる場合、扉９を開けたままではＩＣタグ３４に物品の使用期限を記憶させることができず、扉９を閉めた状態でＩＣタグ３４に物品の使用期限を記憶させる。
【００３６】
ＩＣタグ３４に物品の使用期限を記憶させた後は、容器３３を投入口３５から貯蔵部１３に投入する。扉９を閉めた状態でＩＣタグ３４に物品の使用期限を記憶させるときは、扉９を開けて容器３３を貯蔵部１３に投入する。容器３３を投入口３５から貯蔵部１３に投入すると、容器３３が投入口３５のアンテナ４７を通過し、ＩＣタグリーダ／ライタ２８とＩＣタグ３４とが送受信可能になり、ＩＣタグ３４がメモリに格納された使用期限情報を電波信号としてアンテナから発信する。電波信号は、投入口３５のアンテナ４７に受信され、アンテナ４７からＩＣタグリーダ／ライタ２８に入力される。ＩＣタグリーダ／ライタ２８では、電波信号をコントローラ２７に出力する。コントローラ２７では、電波信号から物品の使用期限情報を読み取るとともに、電波信号をメモリが記憶可能な所定の言語に変換し、使用期限情報をメモリに格納する。コントローラ２７の制御部は、先に投入された容器３３内の物品の使用期限と後に投入された容器３３内の物品の使用期限とを比較する。
【００３７】
コントローラ２７の制御部は、先に投入された容器３３内の物品の使用期限よりも後に投入された容器３３内の物品の使用期限が先に到来すると判断すると、発音信号を音発生装置１０に出力し、点灯信号を光発声装置１１に出力するとともに、期限異常情報の送信信号を送信機３１に出力する。発音信号および点灯信号が出力されると、音発生装置１０や光発生装置１１のスイッチ回路のスイッチが入り、音発生装置１０が発音し、光発生装置１１が発光する。期限異常情報は、送信機３１で変調されて電波信号となり、アンテナ１２を介して外部に発信され、外部受信装置３２に受信される。先に投入された容器３３内の物品の使用期限よりも後に投入された容器３３内の物品の使用期限が後の場合は、容器３３を順次貯蔵部１３に投入したとしても、コントローラ２７の制御部が発音信号や点灯信号、送信信号を出力することはない。
【００３８】
容器３３が貯蔵通路３７を転がって取出口３６に達すると、取出口３６のアンテナ４９上に容器３３が位置し、ＩＣタグリーダ／ライタ２８とＩＣタグ３４とが送受信可能となり、ＩＣタグ３４のアンテナから使用期限情報を示す電波信号がアンテナ４９に発信される。なお、取出口３６に達した容器３３内の物品の使用期限は投入口３５のアンテナ４７で受信されてコントローラ２７のメモリにあらかじめ格納されており、コントローラ２７が使用期限情報に付けた識別番号に基づいて取出口３６に位置する容器３３に取り付けられたＩＣタグ３４を認識する。
【００３９】
コントローラ２７の制御部は、それに内蔵されたタイマが示す年月日と容器３３内の物品の使用期限とを比較し、取出口３６のアンテナ４９が受信した使用期限情報に基づいて取出口３６に位置する容器３３に収容された物品の使用期限が期限内か期限外かを判断する。コントローラ２７の制御部は、使用期限情報に基づいて取出口３６に位置する容器３３に収容された物品の使用期限が切れていると判断すると、施錠信号を電気錠制御器３０に出力し、発音信号と点灯信号とを音発生装置１０と光発声装置１１とに出力するとともに、期限異常情報の送信信号を送信機３１に出力する。施錠信号が入力された電気錠制御器３０は、所定の電流を通電金具を介して電気錠１７に流す。電気錠１７は、所定の電流によってその締まり機構が作動し、扉９を施錠する。また、施錠信号が入力された電気錠制御器３０は、電気錠１７に流れる電流を遮断する。電気錠１７は、それに流れる電流が遮断されると、その締まり機構が作動し、扉９を施錠する。発音信号および点灯信号が出力されると、音発生装置１０や光発生装置１１のスイッチ回路のスイッチが入り、音発生装置１０が発音し、光発生装置１１が発光する。期限異常情報は、送信機３１で変調されて電波信号となり、アンテナ１２を介して外部に発信され、外部受信装置３２に受信される。取出口３６に位置する容器３３に収容された物品の使用期限が切れていない場合は、コントローラ２７の制御部が施錠信号や発音信号、点灯信号、送信信号を出力することはなく、容器３３を取出口３６から順次取り出すことができる。
【００４０】
電気錠１７によって扉９が施錠された場合は、物品の管理責任者が保持する鍵を介して電気錠１７の施錠を解除する。また、テンキーパネル２４から所定の暗証番号を打ち込み、暗証番号が正しいときにコントローラ２７が電気錠制御器３０に電気錠１７の施錠を解除する解錠信号を出力し、電気錠１７が解錠信号にしたがって扉９の施錠を解除する。
【００４１】
キャビネット１Ａは、取出口３６のアンテナ４９が受信した物品の使用期限情報に基づいてコントローラ２７が取出口３６に位置する容器３３に収容された物品の使用期限が切れていると判断すると、コントローラ２７が施錠信号と発音信号と点灯信号と送信信号とを出力し、電気錠１７が施錠信号にしたがって扉９を施錠し、音発生装置１０が発音信号にしたがって発音するとともに、光発生装置１１が点灯信号にしたがって発光し、送信機３１が送信信号にしたがって期限異常情報を外部受信機３２に送信するので、キャビネット１Ａ内に保管された物品の使用期限を確実に管理することができ、キャビネット１Ａ内から期限切れの物品を収容した容器３３が取り出されることがなく、期限切れの物品の使用を事前に防ぐことができる。
【００４２】
キャビネット１Ａは、投入口３５のアンテナ４７が受信した物品の使用期限情報に基づいてコントローラ２７が貯蔵部１３に先に投入された容器３３に収容された物品よりも後に投入された容器３３に収容された物品の使用期限が先に到来すると判断すると、コントローラ２７が発声信号と点灯信号と送信信号とを出力し、音発生装置１０が発音信号にしたがって発音し、光発生装置１１が点灯信号にしたがって発光するとともに、送信機３１が送信信号にしたがって期限異常情報を外部受信機３２に送信するので、物品の使用期限が先に到来する容器３３を使用期限が後に到来する容器３３よりも後に貯蔵部１３に投入したことをキャビネット１Ａの外部や物品の管理責任者に知らせることができる。キャビネット１Ａは、貯蔵部１３に物品の使用期限の順に容器３３を並べることができ、物品の使用期限が先に到来する容器３３が使用期限が後に到来する容器３３よりも先に取り出されてしまうことがない。
【００４３】
キャビネット１Ａは、容器３３に収容された物品の使用期限をＩＣタグ３４に書き込んだり、使用期限を書き換えることができるので、物品の期限管理とともに、容器３３を貯蔵部１３に投入するときにＩＣタグ３４に物品の使用期限を書き込むことができ、誤ってＩＣタグ３４に書き込まれた使用期限を正しい使用期限に変えることができる。
【００４４】
キャビネット１Ａでは、頂壁４や投入口３５に設置されたアンテナ１２，４７を省くとともに、音発生装置１０、光発生装置１１、送信機３１を省くこともできる。この場合は、コントローラ２７の制御部が使用期限情報に基づいて取出口３６に位置する容器３３に収容された物品の使用期限が切れていると判断すると、施錠信号を電気錠制御器３０に出力し、電気錠１７が扉９を施錠する。
【００４５】
図７は、他の一例として示すキャビネット１Ｂの斜視図である。図７では、縦方向を矢印Ｌ、横方向を矢印Ｍで示し、前後方向を矢印Ｎで示す。図７は、扉９を開けた状態が二点鎖線で示されている。このキャビネット１Ｂが図１のそれと異なるのは、収納ユニット２の内部に貯蔵部が設置されておらず、３つの棚５２が取り付けられている点と、物品５３が容器に収容されておらず、物品５３の外周面にＩＣタグ３４が取り付けられて物品５３自体がキャビネット１Ｂの収納ユニット２に保管されている点と、アンテナ５４が収納ユニット２の側壁６，７内面に取り付けられている点とであり、その他の構成は図１のそれと同一であるので、図１と同一の符合を付してその他の構成の説明は省略する。キャビネット１Ｂは、所定の使用期限がある物品５３の複数個を保管し、物品５３の使用期限を管理する。
【００４６】
収納ユニット２には、縦方向へ所定寸法離間する３つの棚５２が取り付けられている。棚５２には、ＩＣタグ３４が取り付けられた複数個の物品５３が載せられている。収納ユニット２の側壁６，７内面には、アンテナ５４が取り付けられている。アンテナ５４は、プリント基板（図示せず）を介して側壁６，７に固定されている。アンテナ５４は、ＩＣタグリーダ／ライタ２８に接続されている。機材格納ユニット３の格納部には、コントローラ２７、ＩＣタグリーダ／ライタ２８、テンキーモジュール２９、電気錠制御器３０、送信機３１が格納されている（図６参照）。音発生装置１０や光発生装置１１、ＩＣタグリーダ／ライタ２８、テンキーモジュール２９、送信機３１は、コントローラ２７に電気的に接続されている。テンキーパネル２４は、テンキーモジュール２９に接続されている。電気錠１７、ＩＣタグリーダ／ライタ２８、テンキーモジュール２９、電気錠制御器３０、送信機３１、外部受信機３２、ＩＣタグ３４は、図１のそれらと同一である。
【００４７】
コントローラ２７の制御部は、メモリに格納されているプログラムを起動し、プログラムにしたがって以下のプロセスを実行する。制御部は、ＩＣタグリーダ／ライタ２８を介して物品５３に取り付けられたＩＣタグ３４から使用期限情報を読み取り、物品５３の使用期限情報をメモリが記憶可能な言語に変換し、使用期限情報をＩＣタグ３４毎に区分してメモリの物理アドレス領域に格納する。制御部は、コントローラ２７に内蔵されたタイマの年月日とメモリに格納された使用期限とを常時比較し、使用期限がタイマの年月日を過ぎた場合、施錠信号を電気錠制御器３０に出力し、発音信号を音発生装置１０に出力するとともに、点灯信号を光発生装置１１に出力し、送信信号を送信機３１に出力する。
【００４８】
コントローラ２７の制御部は、収納ユニット２（キャビネット１Ｂ）に収納された物品５３の使用期限情報をＩＣタグリーダ／ライタ２８を介して物品５３に取り付けられたＩＣタグ３４から読み取り、コントローラ２７に内蔵されたタイマの年月日とメモリに格納された使用期限とを常時比較し、使用期限がタイマの年月日を過ぎた場合、施錠信号を電気錠制御器３０に出力し、発音信号を音発生装置１０に出力するとともに、点灯信号を光発生装置１１に出力し、送信信号を送信装置３１に出力する。
【００４９】
コントローラ２７の制御部は、収納ユニット２に収納された物品５３の使用期限情報をＩＣタグリーダ／ライタ２８を介して物品５３に取り付けられたＩＣタグ３４から読み取り、ユニット２に先に収納された物品５３の使用期限とユニット２に後に収納された物品５３の使用期限とを比較する。ユニット２に先に収納された物品５３の使用期限情報は、ＩＣタグリーダ／ライタ２８を介して制御部に入力され、あらかじめメモリに格納されている。制御部は、ユニット２に後に収納された物品５３の使用期限がユニット２に先に収納された物品５３の使用期限よりも先に到来すると判断した場合、発音信号を音発生装置１０に出力し、点灯信号を光発生装置１１に出力するとともに、送信信号を送信機３１に出力する。
【００５０】
なお、物品５３の使用期限がタイマの年月日を過ぎていない場合やユニット２に後に収納された物品５３の使用期限がユニット２に先に収納された物品５３の使用期限よりも後に到来すると判断した場合、コントローラ２７の制御部は、施錠信号や発音信号、点灯信号、送信信号を出力することはない。また、制御部は、ＩＣタグリーダ／ライタ２８とＩＣタグ３４とが送受信可能となったとき、ＩＣタグ３４が正当なそれかをＩＣタグ３４のＩＤ番号によって判断する。制御部は、メモリに格納されたＩＤ番号と送受信中のＩＣタグ３４のＩＤ番号とを比較し、ＩＣタグ３４が正当なそれではないと判断すると、ＩＣタグ３４からの使用期限情報の読み取りを停止するとともに、ＩＣタグ３４への使用期限情報の出力を停止する。コントローラ２７の制御部は、扉９を開けた場合、ＩＣタグリーダ／ライタ２８からアンテナ２５に出力される電波信号を遮断し、ＩＣタグリーダ／ライタ２８とＩＣタグ３４とを送受信不能にすることもできる。この場合、扉９を開けた状態ではＩＣタグ３４へ使用期限を記憶させることができず、扉９を閉じた状態でＩＣタグ３４へ使用期限を記憶させることが可能となる。
【００５１】
キャビネット１Ｂに容器５３を収納する手順の一例を以下に示す。最初にＩＣタグ３４に物品５３の使用期限を記憶させる。テンキーパネル２４を介して物品５３の使用期限を打ち込む。使用期限を打ち込むと、テンキーモジュール２９を介して使用期限を示す電気信号がコントローラ２７に入力され、電気信号がコントローラ２７からＩＣタグリーダ／ライタ２８に出力され、ＩＣタグリーダ／ライタ２８が所定の変調方式に基づいて使用期限を示す電気信号を電波信号に変換する。電波信号は、アンテナ２５から発信される。アンテナ２５に容器５３を近接させると、ＩＣタグリーダ／ライタ２８とＩＣタグ３４とが送受信可能になり、ＩＣタグ３４のアンテナがＩＣタグリーダ／ライタ２８からの電波信号を受信し、電波信号がＩＣタグ３４の制御部に入力される。ＩＣタグ３４の制御部では、電波信号をメモリが記憶可能な所定の言語に変換し、使用期限情報をＩＣタグ３４のメモリに格納する。なお、扉９を開けると、ＩＣタグリーダ／ライタ２８とＩＣタグ３４とが送受信不能になる場合、扉９を開けたままではＩＣタグ３４に物品５３の使用期限を記憶させることができず、扉９を閉めた状態でＩＣタグ３４に物品５３の使用期限を記憶させる。
【００５２】
ＩＣタグ３４に物品５３の使用期限を記憶させた後は、物品５３を収納ユニット２に収納する。扉９を閉めた状態でＩＣタグ３４に物品５３の使用期限を記憶させるときは、扉９を開けて容器５３をユニット２に収納する。物品５３をユニット２に収納すると、ＩＣタグリーダ／ライタ２８とＩＣタグ３４とが送受信可能になり、ＩＣタグ３４がメモリに格納された使用期限情報を電波信号としてアンテナから発信する。電波信号は、アンテナ５４に受信され、アンテナ５４からＩＣタグリーダ／ライタ２８に入力される。ＩＣタグリーダ／ライタ２８では、電波信号をコントローラ２７に出力する。コントローラ２７では、電波信号から物品５３の使用期限情報を読み取るとともに、電波信号をメモリが記憶可能な所定の言語に変換し、使用期限情報をメモリに格納する。コントローラ２７の制御部は、ユニット２に先に収納された物品５３の使用期限とユニット２に後に収納された物品５３の使用期限とを比較する。
【００５３】
コントローラ２７の制御部は、ユニット２に先に収納された物品５３の使用期限よりも後に収納された物品５３の使用期限が先に到来すると判断すると、発音信号を音発生装置１０に出力し、点灯信号を光発声装置１１に出力するとともに、期限異常情報の送信信号を送信機３１に出力する。発音信号および点灯信号が出力されると、音発生装置１０や光発生装置１１のスイッチ回路のスイッチが入り、音発生装置１０が発音し、光発生装置１１が発光する。期限異常情報は、送信機３１で変調されて電波信号となり、アンテナ１２を介して外部に発信され、外部受信機３２に受信される。ユニット２に先に収納された物品５３の使用期限よりも後に収納された物品５３の使用期限が後の場合は、物品５３を順次ユニット２に投入したとしても、コントローラ２７の制御部が発音信号や点灯信号、送信信号を出力することはない。
【００５４】
コントローラ２７の制御部は、それに内蔵されたタイマが示す年月日と物品５３の使用期限と比較し、アンテナ５４が受信した使用期限情報に基づいてユニット２に収納された物品５３の使用期限が期限内か期限外かを判断する。コントローラ２７の制御部は、使用期限情報に基づいて物品５３の使用期限が切れていると判断すると、施錠信号を電気錠制御器３０に出力し、発音信号および点灯信号を音発生装置１０と光発声装置１１とに出力するとともに、期限異常情報の送信信号を送信機３１に出力する。施錠信号が入力された電気錠制御器３０は、所定の電流を通電金具を介して電気錠１７に流したり、または、電気錠１７に流れる電流を遮断する。扉９は、電気錠１７によって施錠される。発音信号および点灯信号が出力されると、音発生装置１０や光発生装置１１のスイッチ回路のスイッチが入り、音発生装置１０が発音し、光発生装置１１が発光する。期限異常情報は、送信機３１で変調されて電波信号となり、アンテナ１２を介して外部に発信され、外部受信機３２に受信される。ユニット２に収納された物品５３の使用期限が切れていない場合は、コントローラ２７の制御部が施錠信号や発音信号、点灯信号、送信信号を出力することはなく、物品５３をユニット２から順次取り出すことができる。
【００５５】
キャビネット１Ｂは、アンテナ５４が受信した物品５３の使用期限情報に基づいてコントローラ２７がユニット２に収納された物品５３の使用期限が切れていると判断すると、コントローラ２７が施錠信号と発音信号と点灯信号と送信信号とを出力し、電気錠１７が施錠信号にしたがって扉９を施錠し、音発生装置１０が発音信号にしたがって発音するとともに、光発生装置１１が点灯信号にしたがって発光し、送信機３１が送信信号にしたがって期限異常情報を外部受信機３２に送信するので、キャビネット１Ｂ内に保管された物品５３の使用期限を確実に管理することができ、キャビネット１Ｂ内から期限切れの物品５３が取り出されることがなく、使用期限切れの物品５３の使用を事前に防ぐことができる。
【００５６】
キャビネット１Ｂは、アンテナ５４が受信した物品５３の使用期限情報に基づいてコントローラ２７がユニット２に先に収納された物品５３の使用期限とユニット２に後に収納された物品５３の使用期限とを比較し、コントローラ２７がユニット２に先に収納された物品５３よりも後に収納された物品５３の使用期限が先に到来すると判断すると発声信号と点灯信号と送信信号とを出力し、音発生装置１０が発音信号にしたがって発音し、光発生装置１１が点灯信号にしたがって発光するとともに、送信機３１が送信信号にしたがって期限異常情報を外部受信機３２に送信するので、キャビネット１Ｂにあらたに収納する物品５３の使用期限よりも後に使用期限が到来する物品５３が既にキャビネット１Ｂ内に存在することをキャビネット１Ｂの外部や物品の管理責任者に知らせることができる。
【００５７】
キャビネット１Ｂは、物品５３の使用期限をＩＣタグ３４に書き込んだり、使用期限を書き換えることができるので、物品５３の期限管理とともに、物品５３をユニット２に収納するときにＩＣタグ３４に物品５３の使用期限を書き込むことができ、誤ってＩＣタグ３４に書き込まれた使用期限を正しい使用期限に変えることができる。
【００５８】
キャビネット１Ｂでは、頂壁４に設置されたアンテナ１２を省くとともに、音発生装置１０、光発生装置１１、送信機３１を省くこともできる。この場合は、コントローラ２７の制御部が使用期限情報に基づいてユニット２に収納された物品５３の使用期限が切れていると判断すると、施錠信号を電気錠制御器３０に出力し、電気錠１７が扉９を施錠する。
【００５９】
また、それらキャビネット１Ａ，１Ｂでは、テンキーパネル２４やテンキーモジュール２９、アンテナ２５を省くこともできる。この場合は、容器３３や物品５３に取り付けられたＩＣタグ３４への使用期限の格納は、キャビネット１Ａ，１Ｂの外部に設置されたＩＣタグライタを介して行う。それらキャビネット１Ａ，１Ｂは、恒温湿庫や保冷庫、保温庫、クリーンボックスとして使用することができる。
【図面の簡単な説明】
【００６０】
【図１】一例として示すキャビネットの斜視図。
【図２】キャビネットに収容される容器の一例を示す斜視図。
【図３】側壁を破断した状態で示す貯蔵部の斜視図。
【図４】投入口の斜視図。
【図５】取出口の斜視図。
【図６】コントローラに対する電気錠やＩＣタグリーダ／ライタ、送信機等の接続を示すブロック図。
【図７】他の一例として示すキャビネットの斜視図。
【符号の説明】
【００６１】
１Ａ    キャビネット
１Ｂ    キャビネット
９    扉
１０    音発生装置
１１    光発生装置
１３    貯蔵部
１７    電気錠
２５    アンテナ
２７    コントローラ
２８    ＩＣタグリーダ／ライタ
３１    送信機
３２    外部受信機
３３    容器
３４    非接触型ＩＣタグ
３５    上部投入口
３６    下部取出口
３７    貯蔵通路
４７    アンテナ
４９    アンテナ
５３    物品
５４    アンテナ
【図１】
2005306574.tif 000003
【図２】
2005306574.tif 000004
【図３】
2005306574.tif 000005
【図４】
2005306574.tif 000006
【図５】
2005306574.tif 000007
【図６】
2005306574.tif 000008
【図７】
2005306574.tif 000009